(57)【要約】【課題】２つ以上のコップを重ねたときに、それぞれの外壁が接触するのを防止して、外壁に傷が付いたり、外壁が割れたりするのを防止する。【解決手段】コップ１０は、円板状の底部１１と、底部１１の外側の周縁部１１ａから立ち上がる外壁１２と、底部１１の内側の周縁部１１ｂから立ち上がる係合突起１３とを備えている。外壁１２は上部に位置する部分ほど広がる円錐台状の筒状に形成され、係合突起１３は上部に位置する部分ほど縮まる円錐台状の筒状に形成されている。係合突起１３の肉厚ｔ３は、底部１１の肉厚ｔ１よりも薄く、外壁１２の肉厚ｔ２よりも厚く設定されている。係合突起１３の傾斜角度βは、外壁１２の傾斜角度αよりも大きく設定されている。このため、２つのコップ１０，１０を、それぞれの係合突起１３，１３を係合させることで上下に重ねたときに、それぞれの外壁１２，１２の間にギャップＧが形成されて両者は接触しない。【選択図】図１
2010035972.tif 000002
【特許請求の範囲】
【請求項１】
周縁部が円形又は正多角形に形成された底部と、前記周縁部から上方に立ち上がり、上方に位置する部分ほど開口面積が大きくなる円錐台状又は角錐台状の筒状の外壁とを備えたコップにおいて、
前記底部の中心に上方に位置する部分ほど細くなる円錐状，円錐台状，角錐状，又は角錐台状の筒状の係合突起であって、前記２つのコップが上下に重ねられる際に、相互に上下方向に係合される係脱自在な係合突起を有し、
２つの前記コップが上下に重ねられて前記２つの係合突起が係合され、下側の前記コップに対して、上側の前記コップが上下方向及び横方向に位置決めされた状態において、下側の前記コップの前記外壁と上側の前記コップの前記外壁とが外側と内側とで重なる領域内の任意の高さ位置において、前記係合突起の中心軸から、下側の前記コップの前記外壁の内表面までの距離が、上側の前記コップの前記外壁の外表面までの距離よりも大きくなるように、前記係合突起及び前記外壁が形成されている、
ことを特徴とするコップ。
【請求項２】
前記外壁は、前記中心軸を含む仮想平面で切断したときの断面形状が直線状である、
ことを特徴とする請求項１に記載のコップ。
【請求項３】
前記外壁は、前記中心軸を含む仮想平面で切断したときの断面形状が曲線状である、
ことを特徴とする請求項１に記載のコップ。
【請求項４】
前記外壁は、前記断面形状が前記中心軸を基準として外側に向かって凹状に形成されている、
ことを特徴とする請求項３に記載のコップ。
【請求項５】
前記係合突起の肉厚が、前記外壁の肉厚よりも厚く設定されている、
ことを特徴とする請求項１ないし４のいずれか１項に記載のコップ。
【発明の詳細な説明】
【技術分野】
【０００１】
本発明は、上方に位置する部分ほど開口面積が大きくなる外壁を備えていて、上下に重ねることが可能なコップに関する。
【背景技術】
【０００２】
飲料水や清涼飲料、アルコール類を飲む際に使用するコップにおいて、外壁が斜めになったものが知られている。
【０００３】
例えば、特許文献１に記載されているコップは、円形の底部の外周面から外壁が立ち上がるように形成されていて、この外壁は、上部ほど開口面積が大きくなっている。すなわち、外壁は、下端側よりも上端側の方が直径が大きくなる円錐台状の筒状に形成されている。
【０００４】
このような形状のコップは、外壁が円筒状のコップとは異なり、複数個のものを上下に重ねることができるため、収納スペースを節約することができる、また、使用後のコップを回収する際に、重ねることで沢山のコップを１度で回収することができる等の利点がある。
【特許文献１】特開２０００−５１０４４号公報
【発明の開示】
【発明が解決しようとする課題】
【０００５】
しかしながら、上述のようなコップは、重ねた際に、下側のコップの外壁の内表面に、上側のコップの外壁の外表面が接触するために、両者が擦れて外壁に傷が付いたり、１つの外壁に横方向の力（外表面が円錐台状の場合には径方向）が作用したときにはその力はこの外壁に接触している他のコップに直接、伝達されるために外壁が割れやすいという問題があった。
【０００６】
そこで、本発明は、重ねたときに、下側のコップの外壁と上側のコップの外壁とが接触しないようにすることにより、外壁が傷付いたり、割れたりすることを防止するようにしたコップを提供することを目的とするものである。
【課題を解決するための手段】
【０００７】
請求項１に係る発明は、周縁部が円形又は正多角形に形成された底部と、前記周縁部から上方に立ち上がり、上方に位置する部分ほど開口面積が大きくなる円錐台状又は角錐台状の筒状の外壁とを備えたコップに関する。
【０００８】
この発明に係るコップは、前記底部の中心に上方に位置する部分ほど細くなる円錐状，円錐台状，角錐状，又は角錐台状の筒状の係合突起であって、前記２つのコップが上下に重ねられる際に、相互に上下方向に係合される係脱自在な係合突起を有し、
【０００９】
２つの前記コップが上下に重ねられて前記２つの係合突起が係合され、下側の前記コップに対して、上側の前記コップが上下方向及び横方向に位置決めされた状態において、下側の前記コップの前記外壁と上側の前記コップの前記外壁とが外側と内側とで重なる領域内の任意の高さ位置において、前記係合突起の中心軸から、下側の前記コップの前記外壁の内表面までの距離が、上側の前記コップの前記外壁の外表面までの距離よりも大きくなるように、前記係合突起及び前記外壁が形成されている、ことを特徴としている。
【００１０】
請求項２に係る発明は、請求項１に係るコップにおいて、前記外壁は、前記中心軸を含む仮想平面で切断したときの断面形状が直線状である、ことを特徴としている。
【００１１】
請求項３に係る発明は、請求項１に係るコップにおいて、前記外壁は、前記中心軸を含む仮想平面で切断したときの断面形状が曲線状である、ことを特徴としている。
【００１２】
請求項４に係る発明は、請求項３に係るコップにおいて、前記外壁は、前記断面形状が前記中心軸を基準として外側に向かって凹状に形成されている、ことを特徴としている。
【００１３】
請求項５に係る発明は、請求項１ないし４のいずれか１項に係るコップにおいて、前記係合突起の肉厚が、前記外壁の肉厚よりも厚く設定されている、ことを特徴としている。
【発明の効果】
【００１４】
請求項１の発明によると、２つのコップの係合突起を上下に係合させることにより、一方のコップに対して他方のコップを位置決めした状態で上下に重ね合わせることができ、この際、２つのコップのそれぞれの外壁が接触しないので、接触に起因する傷や、割れを防止することができる。
【００１５】
請求項２の発明によると、外壁は、中心軸を含む仮想平面で切断したときの断面形状が直線状であるので、コップ全体の形状を単純なものとすることができる。
【００１６】
請求項３の発明によると、外壁は、中心軸を含む仮想平面で切断したときの断面形状が曲線状であるので、コップ全体の形状を変化に富んだものとすることができる。
【００１７】
請求項４の発明によると、外壁は、断面形状が中心軸を基準として外側に向かって凹状に形成されているので、外壁の外表面を手で握ったときに親指と他の指との間にコップを自然に挟み込むことができ、かつコップが手から滑り落ちにくい。
【００１８】
請求項５の発明によると、２つのコップを上下に重ねたときに、相互に係合（接触）される係合突起の肉厚が、相互に接触することのない外壁の肉厚よりも厚く形成されているので、係合突起が割れにくい。
【発明を実施するための最良の形態】
【００１９】
以下、本発明に係るコップの最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１を参照して、実施形態１のコップ１０について説明する。ここで、図１（ａ）は２つのコップ１０，１０を上下に重ねた状態を上方から見た上面図、（ｂ）は（ａ）をＡ−Ａ線で切って示す縦断面図、（ｃ）は２つのコップ１０，１０を上下に重ねた状態を下方から見た下面図である。
【００２１】
これらの図に示すように、コップ１０は、底部１１と外壁１２と係合突起１３とを備えている。本実施形態のコップ１０は、上下方向（垂直方向）に向いた中心軸Ｃを基準に、（ｂ）に示す断面形状のものを回転させて形成した、いわゆる回転体となっている。したがって、中心軸Ｃは、底部１１，外壁１２，係合突起１３の中心、またコップ１０全体の中心となっている。
【００２２】
底部１１は、外側の周縁部１１ａが円形に形成されており、また、内側の周縁部１１ｂは、外側の周縁部１１ａよりも直径が小さい小径の円形に形成されている。つまり、底部１１は、ドーナツを軸方向に押しつぶしたような環状の円板に形成されている。
【００２３】
外壁１２は、底部１１における外側の周縁部１１ａから上方に延びるように形成されている。外壁１２は上方に位置する部分ほど開口面積が大きくなる円錐台の筒状に形成されている。つまり、外壁１２の外表面１２ａ及び内表面１２ｂは、上方に位置する部分ほど中心軸Ｃを中心とした直径が大きくなるように形成されている。また、本実施形態では、外壁１２は、中心軸Ｃを含む仮想平面（不図示）で切断したときの断面形状が直線状になっている。つまり、外壁１２は、中心軸Ｃに沿って下方から上方に向かうときの外表面１２ａ及び内表面１２ｂの直径の増加率が一定となっている。外壁１２は、外表面１２ａ及び内表面１２ｂの直径が、上端に形成される開口部１２ｃにおいて最大となっている。
【００２４】
係合突起１３は、上方に位置する部分ほど細くなる円錐台の筒状に形成されている。すなわち、係合突起１３は、底部１１の内側の周縁部１１ｂから上方に立ち上がるように形成されていて、外側面１３ａ及び内側面１３ｂの、中心軸Ｃを基準とした直径が、上端側に位置する部分ほど小さくなるように形成されている。本実施形態では、係合突起１３の上端は、ほぼ円板状の頂部１３ｃとなっている。また、本実施形態では、係合突起１３は、中心軸Ｃを含む仮想平面（不図示）で切断したときの断面形状が直線状になっている。つまり、係合突起１３は、中心軸Ｃに沿って下方から上方に向かうときの外側面１３ａ及び内側面１３ｂの直径の減少率が一定となっている。係合突起１３は、外側面１３ａ及び内側面１３ｂの直径が、上端の頂部１３ｃ近傍で最小となっている。
【００２５】
上述の係合突起１３の高さｈは、外壁１２の高さＨのほぼ半分となっている。高さも含め、係合突起１３を大きく形成したときには、コップ１０全体の、液体を収納できる容積が減少するが、後述するように、２つのコップ１０，１０の係合突起１３，１３を係合させることで、２つのコップ１０，１０を上下に重ね合わせる際に、両係合突起１３，１３の接触面積が広くなるので、両コップ１０，１０を安定的に重ね合わせることができる。
【００２６】
本実施形態では、底部１１の肉厚をｔ１，外壁１２の肉厚をｔ２，係合突起１３の肉厚をｔ３としたときに、これら底部１１，外壁１２，係合突起１３は、これらの肉厚ｔ１，ｔ２，ｔ３の間に、
ｔ２＜ｔ３＜ｔ１
が成り立つように形成されている。
【００２７】
すなわち、コップ１０全体の支持部分となる底部１１の肉厚ｔ１が最も厚く、ついで、重ねる際に、相互に係合される係合突起１３の肉厚ｔ３が厚く、外壁１２の肉厚ｔ２が最も薄くなるように形成されている。
【００２８】
ここで、図１（ｂ）に示すように、底部１１に対する（水平面に対する）外壁１２の傾斜角度をα、同じく底部１１に対する係合突起の傾斜角度をβとすると、本実施形態では、これらの傾斜角度α，βの間に、
α＜β
が成立するように、外壁１２及び係合突起１３が形成されている。
【００２９】
ここで、コップ１０の材質については、プラスチックやガラスを好適に使用することができるが、これらに限定されるものではなく、金属や木材を使用することも可能である。また、色については、任意の色を使用することができ、さらに、透明や半透明であってもよい。特に透明や半透明の場合には、コップ１０内に入れられた液体を透かして、係合突起１３が見えるので、造形的に興趣あるものとなる。なお、材質や色については、他の実施形態においても同様に、任意のものを使用することが可能である。
【００３０】
本実施形態においては、上述のように、外壁１２の肉厚ｔ２を、係合突起１３の肉厚ｔ３よりも薄く設定し、また、外壁１２の傾斜角度αを、係合突起１３の傾斜角度βよりも小さく設定することにより、図２（ｂ）に示すように、２つのコップ１０，１０を上下に重ね合わせて、それぞれの係合突起１３，１３を係合させたときに、下側のコップ１０に対して、上側のコップ１０が上下方向及び横方向（水平方向）に位置決めされる。このとき、下側のコップ１０の外壁１２と上側のコップ１０の外壁１２とが外側と内側とで重なる領域内の任意の高さ位置において、中心軸Ｃから、下側のコップ１０の外壁１２の内表面１２ｂまでの距離Ｒが、上側のコップ１０の外壁１２の外表面１２ａまでの距離ｒよりも大きくなる。これにより、下側のコップ１０の外壁１２と上側のコップ１０の外壁１２との間にギャップＧが形成されることになる。
【００３１】
ギャップＧができる理由について説明する。コップ１０において、外壁１２の肉厚ｔ２と係合突起１３の肉厚ｔ３とが同じで、かつ、外壁１２の傾斜角度αと係合突起１３の傾斜角度βとが同じである場合において、係合突起１３，１３を係合させると、それぞれのコップ１０，１０の外壁１２，１２が接触することになる。これを外壁接触状態とすると、この外壁接触状態から、外壁１２，１２の肉厚ｔ２を薄くする場合を考えると、２つの外壁１２，１２の間にギャップＧが形成されることがわかる。つまり、傾斜角度α，βが同じ場合には、係合突起１３の肉厚ｔ３よりも外壁１２の肉厚ｔ２が薄い場合には、ギャップＧが形成される。
【００３２】
一方、上述と同じ外壁接触状態から、外壁１２，１２の傾斜角度αを小さくしていくと、この場合も２つの外壁１２，１２の間にギャップＧが形成されることがわかる。つまり、外壁１２の肉厚ｔ２と係合突起１３の肉厚ｔ３が同じ場合には、係合突起１３の傾斜角度βよりも外壁１２の傾斜角度αが小さい場合には、ギャップＧが形成される。
【００３３】
このことから、本実施形態のように、外壁１２の肉厚ｔ２を係合突起１３の肉厚ｔ３よりも薄く設定し、かつ外壁１２の傾斜角度αを係合突起１３の傾斜角度βよりも小さく設定した場合には、２つの外壁１２，１２の間にギャップＧが形成されることになる。
【００３４】
そしてギャップＧが形成されると、２つのコップ１０，１０の外壁１２，１２が接触しないので、これらが擦れて傷ついたり、割れたりすることがない。３つ以上のコップ１０，１０……を重ねたときも同様である。
＜実施形態２＞
【００３５】
図２を参照して、実施形態２のコップ２０について説明する。ここで、図２（ａ）は２つのコップ２０，２０を上下に重ねた状態を上方から見た上面図、（ｂ）は（ａ）をＡ−Ａ線で切って示す縦断面図、（ｃ）は２つのコップ２０，２０を上下に重ねた状態を下方から見た下面図である。
【００３６】
これらの図に示すように、コップ２０は、底部２１と外壁２２と係合突起２３とを備えている。本実施形態のコップ２０は、上下方向（垂直方向）に向いた中心軸Ｃを基準に、（ｂ）に示す断面形状のものを回転させて形成した、いわゆる回転体となっている。したがって、中心軸Ｃは、底部２１，外壁２２，係合突起２３の中心、またコップ２０全体の中心となっている。
【００３７】
底部２１は、外側の周縁部２１ａが円形に形成されており、また、内側の周縁部２１ｂは、外側の周縁部２１ａよりも直径が小さい小径の円形に形成されている。つまり、底部２１は、ドーナツを軸方向に押しつぶしたような環状の円板に形成されている。
【００３８】
外壁２２は、底部２１における外側の周縁部２１ａから上方に延びるように形成されている。外壁２２は上方に位置する部分ほど開口面積が大きくなる円錐台状の筒状に形成されている。つまり、外壁２２の外表面２２ａ及び内表面２２ｂは、上方に位置する部分ほど中心軸Ｃを中心とした直径が大きくなるように形成されている。また、本実施形態では、外壁１２は、中心軸Ｃを含む仮想平面（不図示）で切断したときの断面形状が直線状と曲線状とを合成したような形状になっている。つまり、外壁１２は、下端から上端の開口部２２ｃの少し下までは直線状に形成され、開口部近傍においては中心軸Ｃを基準として外側に向かって凹状の曲線状となるように形成されている。
【００３９】
係合突起２３は、上方に位置する部分ほど細くなるほぼ円錐の筒状に形成されている。すなわち、係合突起２３は、底部２１の内側の周縁部２１ｂから上方に立ち上がるように形成されていて、外側面２３ａ及び内側面２３ｂの、中心軸Ｃを基準とした直径が、上端側に位置する部分ほど小さくなるように形成されている。また、本実施形態では、係合突起２３は、中心軸Ｃを含む仮想平面（不図示）で切断したときの断面形状が直線状になっている。
【００４０】
上述の係合突起２３の高さｈは、外壁２２の高さＨのほぼ１／３となっている。高さも含め、係合突起１３を大きく形成したときには、コップ２０全体の、液体を収納できる容積が減少するが、後述するように、２つのコップ２０，２０の係合突起２３，２３を係合させることで、２つのコップ２０，２０を上下に重ね合わせる際に、両係合突起１３，１３の接触面積が広くなるので、両コップ２０，２０を安定的に重ね合わせることができる。
【００４１】
本実施形態においても、上述の実施形態１と同様の理由で、上下に２つ重ねたコップ２０，２０のそれぞれの外壁２０，２０の間にギャップＧが形成される。
【００４２】
これにより、２つのコップ２０，２０の外壁２２，２２が接触しないので、これらが擦れて傷ついたり、割れたりすることがない。３つ以上のコップ２０，２０……を重ねたときも同様である。
【００４３】
本実施形態によると、さらに、外壁２２の開口部２２ｃ近傍が、凹状に湾曲しているので、カップ２０内に入れられた液体を飲む際に、外壁２２の上端に口を当てたときに、下唇がこの凹状に湾曲した部分に倣って自然に当たるので、液体を飲む際に飲みやすい、という効果がある。
＜実施形態３＞
【００４４】
図３を参照して、実施形態３のコップ３０について説明する。ここで、図３（ａ）は２つのコップ３０，３０を上下に重ねた状態を上方から見た上面図、（ｂ）は（ａ）をＡ−Ａ線で切って示す縦断面図、（ｃ）は２つのコップ３０，３０を上下に重ねた状態を下方から見た下面図である。
【００４５】
これらの図に示すように、コップ３０は、底部３１と外壁３２と係合突起３３とを備えている。本実施形態のコップ３０は、上下方向（垂直方向）に向いた中心軸Ｃを基準に、（ｂ）に示す断面形状のものを回転させて形成した、いわゆる回転体となっている。したがって、中心軸Ｃは、底部３１，外壁３２，係合突起３３の中心、またコップ３０全体の中心となっている。
【００４６】
底部３１は、外側の周縁部３１ａが円形に形成されており、また、内側の周縁部３１ｂは、外側の周縁部３１ａよりも直径が小さい小径の円形に形成されている。つまり、底部３１は、ドーナツを軸方向に押しつぶしたような環状の円板に形成されている。
【００４７】
外壁３２は、底部３１における外側の周縁部３１ａから上方に延びるように形成されている。外壁２２は上方に位置する部分ほど開口面積が大きくなるほぼ円錐台の筒状に形成されている。つまり、外壁３２の外表面３２ａ及び内表面３２ｂは、上方に位置する部分ほど中心軸Ｃを中心とした直径が大きくなるように形成されている。また、本実施形態では、外壁３２は、中心軸Ｃを含む仮想平面（不図示）で切断したときの断面形状が２つの曲線を合成したような形状になっている。つまり、外壁３２は、下端側が中心軸Ｃを基準として外側に向かって凸状の曲線となるように形成され、上端側が中心軸Ｃを基準に外側に向かって凹状の曲線となるように形成されている。このため、コップ３０を手で持つ際に、上端側の凹状の部分を親指と人差し指で挟み込み、残りの指を外壁の外表面３２ａに自然に当てることができるので、非常に持ちやすい形状となっている。
【００４８】
係合突起３３は、上方に位置する部分ほど細くなるほぼ円錐台状に形成されている。すなわち、係合突起３３は、底部３１の内側の周縁部３１ｂから上方に立ち上がるように形成されていて、外側面３３ａの、中心軸Ｃを基準とした直径が、上端側に位置する部分ほど小さくなるように形成されている。本実施形態では、係合突起３３の下端の裏面側に、この係合突起３３の先端側と同形の係合凹部３３ｂが形成されている。この係合凹部３３ｂは、２つのコップ３０，３０を上下に重ねる際に、下側のコップ３０の係合突起３３の先端側が係合されるものである。
【００４９】
上述の係合突起３３の高さｈは、外壁３２の高さＨのほぼ１／３となっている。
【００５０】
本実施形態においては、外壁３２の形状や肉厚や傾斜角度、また係合とき３３の形状や傾斜角度が、２つのコップ３０，３０を重ね合わせて、それぞれの係合突起３３を係合させた際に、２つのコップ３０，３０のそれぞれの外壁３２，３２が接触することなく、これらの間にギャップＧが形成されるようになっている。
【００５１】
これにより、２つのコップ３０，３０の外壁３２，３２が接触しないので、これらが擦れて傷ついたり、割れたりすることがない。３つ以上のコップ３０，３０……を重ねたときも同様である。
【００５２】
本実施形態によると、さらに、外壁３２の開口部３２ｃ近傍が、凹状に湾曲しているので、カップ３０内に入れられた液体を飲む際に、外壁２２の上端に口を当たときに、下唇がこの凹状に湾曲した部分に倣って自然に当たるので、液体を飲む際に飲みやすい、という効果がある。また、上述のように、非常に持ちやすいという効果もある。
＜実施形態４＞
【００５３】
図４を参照して、実施形態４のコップ４０について説明する。ここで、図４（ａ）はコップ４０の上面図、（ｂ）は正面図、（ｃ）は下面図、（ｄ）は（ａ）をＡ−Ａ線で切断して示す縦断面図、（ｄ）は２つのコップ４０，４０を上下に重ねた状態を（ａ）に示すＡ−Ａ線で切断して示す縦断面図である。
【００５４】
これらの図に示すように、コップ４０は、底部４１と外壁４２と係合突起４３とを備えている。本実施形態のコップ４０は、上下方向（垂直方向）に向いた中心軸Ｃを基準に、（ｄ）に示す断面形状のものを回転させて形成した、いわゆる回転体となっている。したがって、中心軸Ｃは、底部４１，外壁４２，係合突起４３の中心、またコップ４０全体の中心となっている。
【００５５】
底部４１は、外側の周縁部４１ａが円形に形成されており、また、内側の周縁部４１ｂは、外側の周縁部４１ａよりも直径が小さい小径の円形に形成されている。つまり、底部４１は、ドーナツを軸方向に押しつぶしたような環状の円板に形成されている。
【００５６】
外壁４２は、底部４１における外側の周縁部４１ａから上方に延びるように形成されている。外壁２２は上方に位置する部分ほど開口面積が大きくなる円錐台状の筒状に形成されている。つまり、外壁４２の外表面４２ａ及び内表面４２ｂは、上方に位置する部分ほど中心軸Ｃを中心とした直径が大きくなるように形成されている。また、本実施形態では、外壁４２は、中心軸Ｃを含む仮想平面（不図示）で切断したときの断面形状が、２つの曲線を合成したような形状になっている。つまり、外壁４２は、上述の実施形態３と同様の形状となっていて、下端側が中心軸Ｃを基準として外側に向かって凸状の曲線状となるように形成され、上端側が中心軸Ｃを基準に外側に向かって凹状の曲線状となるように形成されている。このため、コップ４０を手で持つ際に、上端側の凹状の部分を親指と人差し指で挟み込み、残りの指を外壁の外表面４２ａに自然に当てることができるので、非常に持ちやすい形状となっている。
【００５７】
係合突起４３は、上方に位置する部分ほど細くなるほぼ円錐状の筒状に形成されている。すなわち、係合突起４３は、底部４１の内側の周縁部４１ｂから上方に立ち上がるように形成されていて、外側面４３ａ及び内側面４３ｂの、中心軸Ｃを基準とした直径が、上端側に位置する部分ほど小さくなるように形成されている。また、本実施形態では、係合突起４３は、内側面４３ｂが中心軸Ｃに沿って段状に形成されている。すなわち、内側面４３ｂは、中心軸Ｃに沿って下方か上方に向かうに従って、中心軸Ｃを中心とした直径（内径）が同じ部分が少しつづいた後、直径が小さくなる。そして、小さくなった直径が少しつづいた後、さらに直径が小さくなる。これを複数回繰り返すことで、段状に形成されている。このように内側面４３ｂが段状に形成されることにより、２つのコップ４０，４０を上下に重ねる際に、上側のコップ４０の段状の内側面４３ｂが、下側のコップ４０の係合突起４３の外側面４３ａに係合するので、滑り止めとなって、係合状態を確実なものとすることができる。さらに、コップ４０全体を透明または半透明な材料によって形成し、この段状の内側面４３ｂに色を付けることにより、コップ４０内に入れられた液体を透かして、見える段状が造形的に優れた演出となる。
【００５８】
上述の係合突起４３の高さｈは、外壁４２の高さＨのほぼ１／２となっている。高さも含め、係合突起４３を大きく形成したときには、コップ４０全体の、液体を収納できる容積が減少するが、後述するように、２つのコップ４０，４０の係合突起４３，４３を係合させることで、２つのコップ４０，４０を上下に重ね合わせる際に、両係合突起４３，４３の接触面積が広くなるので、両コップ４０，４０を安定的に重ね合わせることができる。
【００５９】
本実施形態では、底部４１の肉厚をｔ１，外壁４２の肉厚をｔ２，係合突起４３の肉厚をｔ３（最も薄い部分の肉厚）としたときに、これら底部４１，外壁４２，係合突起４３は、これらの肉厚ｔ１，ｔ２，ｔ３の間に、
ｔ２＜ｔ３＜ｔ１
が成り立つように形成されている。
すなわち、コップ４０全体の支持部分となる底部４１の肉厚ｔ１が最も厚く、ついで、重ねる際に、相互に係合される係合突起４３の肉厚ｔ３が厚く、外壁４２の肉厚ｔ２が最も薄くなるように形成されている。
【００６０】
本実施形態においては、外壁４２の形状や肉厚や傾斜角や湾曲の程度、また係合突起４３の形状や肉厚や傾斜角度が、２つのコップ４０，４０を重ね合わせて、それぞれの係合突起４３，４３を係合させた際に、２つのコップ４０，４０のそれぞれの外壁４２，４２が接触することなく、これらの間にギャップＧが形成されるように設定されている。
【００６１】
これにより、２つのコップ４０，４０の外壁４２，４２が接触しないので、これらが擦れて傷ついたり、割れたりすることがない。３つ以上のコップ４０，４０……を重ねたときも同様である。
【００６２】
本実施形態によると、さらに、外壁３２の開口部４２ｃ近傍が、凹状に湾曲しているので、カップ４０内に入れられた液体を飲む際に、外壁４２の上端に口を当たときに、下唇がこの凹状に湾曲した部分に倣って自然に当たるので、液体を飲む際に飲みやすい、という効果がある。また、上述のように、非常に持ちやすいという効果もある。さらに、上述のように係合突起４３の段状の内側面４３ｂは滑り止めとなり、またこれに色を付すことにより造形的に優れたものとすることができる。
＜実施形態５＞
【００６３】
図５を参照して、実施形態５のコップ５０について説明する。ここで、図５（ａ）はコップ５０の上面図、（ｂ）は正面図、（ｃ）は下面図である。
【００６４】
これらの図に示すように、コップ５０は、底部５１と外壁５２と係合突起５３とを備えている。本実施形態のコップ５０は、中心軸Ｃが、底部５１，外壁５２，係合突起５３の中心、またコップ５０全体の中心となっている。
【００６５】
底部５１は、外側の周縁部５１ａが正六角形に形成されており、また、内側の周縁部５１ｂは、外側の周縁部５１ａよりも小さい正六角形に形成されている。
【００６６】
外壁５２は、底部５１における外側の周縁部５１ａから上方に立ち上がるように形成されている。外壁５２は上方に位置する部分ほど開口面積が大きくなる正六角錐台状の筒状に形成されている。つまり、外壁５２の外表面５２ａ及び内表面５２ｂは、上方に位置する部分ほど中心軸Ｃからの距離が遠くなるように形成されている。また、本実施形態では、外壁５２は、図５（ａ）に示すように、上方から見た形状が正六角形となっている。
【００６７】
係合突起５３は、上方に位置する部分ほど細くなるほぼ正六角錐台状の筒状に形成されている。すなわち、係合突起５３は、底部５１の内側の周縁部５１ｂから上方に立ち上がるように形成されていて、外側面５３ａ及び内側面５３ｂの、中心軸Ｃを基準とした距離が、上端側に位置する部分ほど近くなるように形成されている。
【００６８】
上述の係合突起５３の高さｈは、外壁５２の高さＨのほぼ１／２となっている。高さも含め、係合突起５３を大きく形成したときには、コップ５０全体の、液体を収納できる容積が減少するが、後述するように、２つのコップ５０，５０の係合突起５３，５３を係合させることで、２つのコップ５０，５０を上下に重ね合わせる際に、両係合突起５３，５３の接触面積が広くなるので、両コップ５０，５０を安定的に重ね合わせることができる。
【００６９】
本実施形態では、底部５１の肉厚をｔ１，外壁５２の肉厚をｔ２，係合突起５３の肉厚をｔ３としたときに、これら底部５１，外壁５２，係合突起５３は、これらの肉厚の間に、
ｔ２＜ｔ３＜ｔ１
が成り立つように形成されている。
【００７０】
すなわち、コップ５０全体の支持部分となる底部５１の肉厚ｔ１が最も厚く、ついで、重ねる際に、相互に係合される係合突起５３の肉厚ｔ３が厚く、外壁５２の肉厚ｔ２が最も薄くなるように形成されている。
【００７１】
本実施形態においては、外壁５２の形状や肉厚や傾斜角度、また、係合突起５３の形状や肉厚や傾斜角度が、２つのコップ５０，５０を重ね合わせて、それぞれの係合突起５３，５３を係合させた際に、上述の実施形態１と同様の理由で、２つのコップ５０，５０のそれぞれの外壁５２，５２が接触することなく、これらの間にギャップＧ（不図示）が形成されるようになっている。
【００７２】
これにより、２つのコップ５０，５０の外壁５２，５２が接触しないので、これらが擦れて傷ついたり、割れたりすることがない。３つ以上のコップ５０，５０……を重ねたときも同様である。
【００７３】
本実施形態では、係合突起５３は、ほぼ正六角錐台状の筒状に形成されているが、ほぼ六角錐状の筒状に形成されているものであってもよい。
【００７４】
また、本実施形態では、コップ５０全体の形状が正六角形である場合を例に説明したが、本発明はこれに限定されるものではなく、正三角形、正四角径、正五角形、正七角形、正八角形等の、正多角形に適用することができ、この場合も同等の効果を奏することができる。
【図面の簡単な説明】
【００７５】
【図１】（ａ）は２つのコップ１０，１０を上下に重ねた状態を上方から見た上面図、（ｂ）は（ａ）をＡ−Ａ線で切って示す縦断面図、（ｃ）は２つのコップ１０，１０を上下に重ねた状態を下方から見た下面図である。
【図２】（ａ）は２つのコップ２０，２０を上下に重ねた状態を上方から見た上面図、（ｂ）は（ａ）をＡ−Ａ線で切って示す縦断面図、（ｃ）は２つのコップ２０，２０を上下に重ねた状態を下方から見た下面図である。
【図３】（ａ）は２つのコップ３０，３０を上下に重ねた状態を上方から見た上面図、（ｂ）は（ａ）をＡ−Ａ線で切って示す縦断面図、（ｃ）は２つのコップ３０，３０を上下に重ねた状態を下方から見た下面図である。
【図４】（ａ）は２つのコップ４０の上面図、（ｂ）は正面図、（ｃ）は下面図、（ｄ）は（ａ）をＡ−Ａ線で切断して示す縦断面図、（ｄ）は２つのコップ４０，４０を上下に重ねた状態を（ａ）に示すＡ−Ａ線で切断して示す縦断面図である。
【図５】（ａ）は２つのコップ５０の上面図、（ｂ）は正面図、（ｃ）は下面図である。
【符号の説明】
【００７６】
１０，２０，３０，４０，５０
カップ
１１，２１，３１，４１，５１
底部
１１ａ，２１ａ，３１ａ，４１ａ，５１ａ
底部の周縁部
１２，２２，３２，４２，５２
外壁
１２ａ，２２ａ，３２ａ，４２ａ，５２ａ
外壁の外表面
１２ｂ，２２ｂ，３２ｂ，４２ｂ，５２ｂ
外壁の内表面
１２ｃ，２２ｃ，３２ｃ，４２ｃ，５２ｃ
開口部
１３，２３，３３，４３，５３
係合突起
Ｃ          中心軸
Ｒ          中心軸から下側のコップの内表面までの距離
ｒ          中心軸から上側のコップの外表面までの距離
【図１】
2010035972.tif 000003
【図２】
2010035972.tif 000004
【図３】
2010035972.tif 000005
【図４】
2010035972.tif 000006
【図５】
2010035972.tif 000007